(57)【特許請求の範囲】
【請求項１】
コイン溜まりと、このコイン溜まりの底部の内側面に沿って配置された円板状体で、中心軸線回りに複数のコイン保持部が設けられ、上方に堆積したコインを回転しながら前記コイン保持部に誘導・保持して円周方向に回転搬送するディスクと、該回転搬送されるコインに回転方向反対側から当接して、前記ディスクの径方向外側に配置された出口に該コインを案内するガイドと、前記ディスクを回転駆動するアクチュエータと、を有してなるコイン投出装置において、
前記ディスクは前記アクチュエータにより時計回り及び反時計回りに選択的に回転駆動されて、コインを時計回り及び反時計回りに回転搬送可能とされると共に、前記ガイドと前記出口とが各々２つずつ設けられ、
第１のガイドが時計回りに回転搬送されるコインを第１の出口に案内し、第２のガイドが反時計回りに回転搬送されるコインを第２の出口に案内するようにされ、
更に前記第１の出口に連結され該第１の出口から排出されるコインを上方の第１の投出口に案内する第１のレールと、前記第２の出口に連結され該第２の出口から排出されるコインを上方の第２の投出口に案内する第２のレールとが設けられると共に、前記第１の投出口と前記第２の投出口とは設置高さ及び開口方向の少なくとも一方が相互に異なるように設置されたことを特徴とするコイン投出装置。
【請求項２】
請求項１において、
前記第１のガイドと前記第２のガイドとの間のガイド間隙間部へのコインの侵入を防止するコイン侵入防止手段、及び、前記ガイド間隙間部への侵入物を介する前記ディスクと前記ガイドとの干渉を防止する干渉防止手段の少なくとも一方の手段が設けられたことを特徴とするコイン投出装置。
【請求項３】
請求項２において、
前記第１及び第２のガイドは前記ディスクの下面側に対向して突出する突出部材からなると共に、前記干渉防止手段は、前記突出部材を突出方向に付勢しつつ、突出、引込み自在に支持する突出部材支持構造と、前記ガイド間隙間部の方向に下り傾斜するように前記突出部材の先端における該ガイド間隙間部の側に形成され、該ガイド間隙間部側からの前記侵入物の当接により該突出部材を引込ませる勾配面と、から構成されることを特徴とするコイン投出装置。
【発明の詳細な説明】
【０００１】
【発明の属する技術分野】
本発明は、遊技機、両替機、自動販売機等に備えられるコイン投出装置に関する。
【０００２】
【従来の技術】
従来、例えば遊技者がゲームで獲得した点数に応じた数量のコインを投出するために、遊技機は、コイン溜まりと、このコイン溜まりの底部の内側面に沿って配置された略円板状体で、中心軸線回りに複数のコイン保持部が設けられ、上方に堆積したコインを回転しながら前記コイン保持部に誘導・保持して円周方向に回転搬送するディスクと、該回転搬送されるコインに回転方向反対側から当接して、前記ディスクの径方向外側に配置された出口に案内するガイドと、前記ディスクを回転駆動するアクチュエータと、を有してなるコイン投出装置を備えている。
【０００３】
コイン溜まりの底部の内側面は一般的に水平面に対して若干傾斜した傾斜面とされ、ディスクも傾斜して配置されている。
【０００４】
ディスクには、コインの外径よりも若干大きな内径で該ディスクを厚さ方向に貫通する誘導孔が円周方向等分に複数形成されている。
【０００５】
又、ディスクの下面側における該誘導孔の間にはひれが突出して形成され、前記コイン保持部は該ひれにより構成されている。
【０００６】
アクチュエータは一般的に電動モータで、該アクチュエータがディスクを回転駆動すると、上方に堆積したコインをディスクが誘導孔からコイン保持部（ひれの間）に案内して、該コインを回転搬送するようにされている。
【０００７】
ガイドは、ディスクのひれとの干渉を避けてコイン溜まりの底部の内側面からディスク下面に向けて突出して形成され、且つ、回転搬送されるコインに側面において当接してコインを出口に案内するようにされている。
【０００８】
出口にはレールが連結され、このレールは滑らかに曲折して上方に突出し、出口のコインを上方の投出口へ案内するようにされている。
【０００９】
又、出口及び投出口の近傍にはクリック機構が設けられている。
【００１０】
コインは、これらクリック機構の間に連続して貯留され、ディスクの回転により出口からコインが排出される度に、２つのクリック機構の間に貯留されたコインが玉突状に上方に移動し、最も上方のコインが投出口のクリック機構に抗して投出口から付勢されて投出されるようにされている。
【００１１】
投出口は鉛直上方から傾いて開口し、コインを所定の一方向に投出すようにされている。
【００１２】
ここで、遊技機の形状、設置場所等の事情によりコインを逆方向に投出したり、所定の一方向及び逆方向の両方向に投出したいという要望がある。
【００１３】
この場合、投出口が逆方向に開口するように、レール上端部を組み換えることによりコインを逆方向に投出することができるが、レール上端部の組み換えには以下のような問題があった。
【００１４】
【発明が解決しようとする課題】
即ち、遊技機の要求によりコインを勢い良く投出する必要があるが、コインは上下のクリック機構の間を玉突状に移動して投出されるので、コインを勢い良く投出するためには上下のクリック機構間の距離を精密に設定する必要がある。このためレール上端部を組み換えた場合、上下のクリック機構間の距離を精密に調整しなければならない。
【００１５】
しかし、遊技機へのコイン投出装置の設置の際にこのような精密な調整を行うことは容易ではなく、作業効率が悪いため、所定の一方向にコインを投出するコイン投出装置及び逆方向にコインを投出するコイン投出装置の２種類のコイン投出装置を予め製造し、在庫として準備していた。
【００１６】
このような在庫は過剰在庫になり得ると共に、在庫製品の管理コストを上昇させ、コイン投出装置の総生産コストを上昇させる一因となっていた。
【００１７】
これに対して、例えば特開平０８−２９３０５１号及び特開平１１−２７２９０３号に示されるような、コインの投出方向を２方向に選択的に切替可能とされたコイン投出装置が知られている。
【００１８】
特開平０８−２９３０５１号に示されるコイン投出装置は、２つの投出口と、投出口切替手段とを有し、投出口の切替えにより容易にコインの投出方向を切り替えることができる反面、切替えが人手により行われるため、コインを所定の一方向及び逆方向の両方に投出する遊技機の場合、２台のコイン投出装置を設置しなければならず、大きな設置スペースを必要とすると共にコストが高かった。
【００１９】
一方、特開平１１−２７２９０３号に示されるコイン投出装置も容易にコインの投出方向を切り替えることができ、更にアクチュエータによる自動的なコインの投出方向の切替えも可能であり、コインを所定の一方向及び逆方向の両方向に投出する遊技機に１台のコイン投出装置で対応することができるが、コインの投出方向を切替えるためのアクチュエータを必要とするためコイン投出装置の生産コストを上昇させていた。
【００２０】
本発明は、以上のような問題点に鑑みてなされたものであって、選択的、且つ自動的に相異なる投出口からコインを投出することができる低コストのコイン投出装置を提供することを目的とする。
【００２１】
【課題を解決するための手段】
本発明は、請求項１のように、コイン溜まりと、このコイン溜まりの底部の内側面に沿って配置された略円板状体で、中心軸線回りに複数のコイン保持部が設けられ、上方に堆積したコインを回転しながら前記コイン保持部に誘導・保持して円周方向に回転搬送するディスクと、該回転搬送されるコインに回転方向反対側から当接して、前記ディスクの径方向外側に配置された出口に該コインを案内するガイドと、前記ディスクを回転駆動するアクチュエータと、を有してなるコイン投出装置において、前記ディスクは前記アクチュエータにより時計回り及び反時計回りに選択的に回転駆動されて、コインを時計回り及び反時計回りに回転搬送可能とされると共に、前記ガイドと前記出口とが各々２つずつ設けられ、第１のガイドが時計回りに回転搬送されるコインを第１の出口に案内し、第２のガイドが反時計回りに回転搬送されるコインを第２の出口に案内するようにされたことにより、上記目的を達成するものである。
【００２２】
又、前記第１の出口に連結され、該第１の出口から排出されるコインを上方の第１の投出口に案内する第１のレールと、前記第２の出口に連結され、該第２の出口から排出されるコインを上方の第２の投出口に案内する第２のレールとを設けると共に、前記第１の投出口と前記第２の投出口とを設置高さ及び開口方向の少なくとも一方が相互に異なるように設置してもよい。
【００２３】
更に、前記第１のガイドと前記第２のガイドとの間のガイド間隙間部へのコインの侵入を防止するコイン侵入防止手段、及び、前記ガイド間隙間部への侵入物を介する前記ディスクと前記ガイドとの干渉を防止する干渉防止手段の少なくとも一方の手段を設けてもよい。
【００２４】
更に又、前記第１及び第２のガイドは前記ディスクの下面側に対向して突出する突出部材からなると共に、前記干渉防止手段を、前記突出部材を突出方向に付勢しつつ、突出、引込み自在に支持する突出部材支持構造と、前記ガイド間隙間部の方向に下り傾斜するように前記突出部材における該ガイド間隙間部に形成され、該ガイド間隙間部側からの前記侵入物の当接により該突出部材を引込ませる勾配面と、から構成してもよい。
【００２５】
本発明によれば、ディスクの正逆回転を利用して、即ち、ディスクの時計回り及び反時計回りを利用して、コインの投出方向を自動的に切り替えることができる。
【００２６】
【発明の実施の形態】
以下、図面を参照して本発明の実施の形態を詳細に説明する。
【００２７】
図１〜図３に示される本実施の形態の例に係るコイン投出装置１０は、ディスク１２がアクチュエータ１４により時計回り及び反時計回りに選択的に回転駆動されて、コイン１５を時計回り及び反時計回りに回転搬送可能とされると共に、第１のガイド１６及び第２のガイド１８の２つのガイドと、第１の出口２０及び第２の出口２２の２つの出口とが設けられ、前記第１のガイド１６が時計回りに回転搬送されるコイン１５を前記第１の出口２０に案内し、前記第２のガイド１８が反時計回りに回転搬送されるコイン１５を前記第２の出口２２に案内するようにされたことを特徴としている。
【００２８】
更に、前記コイン投出装置１０は、前記第１の出口２０に連結され、該第１の出口２０から排出されるコイン１５を上方の第１の投出口２４に案内する第１のレール２６と、前記第２の出口２２に連結され、該第２の出口２２から排出されるコイン１５を上方の第２の投出口２８に案内する第２のレール３０とが設けられると共に、前記第１の投出口２４と前記第２の投出口２８とは設置高さ及び開口方向が相互に異なるようにされたことを特徴としている。
【００２９】
その他の構造については従来と同様であるが、本発明の理解のため他の構造についても概説しつつ、上記特徴部分について説明することとする。
【００３０】
なお、前記ディスク１２の回転方向は、図３のように、該ディスク１２の上面側から見た回転方向として、本実施の形態の例を説明する。
【００３１】
前記コイン投出装置１０は、下端側のベース部材３２の上に構築されている。
【００３２】
このベース部材３２の上面３２Ａは、水平面に対して若干傾斜した傾斜面とされ、該上面３２Ａにはホッパ３４が設置されてコイン溜まり３６を形成している。このコイン溜まり３６にはコイン１５が堆積して貯留されている。
【００３３】
該ホッパ３４は、略Ｃ字形板状体のフランジ３４Ａにおいて前記ベース部材３２の上面３２Ａに取付けられている。
【００３４】
前記フランジ３４Ａは、上方に開口するように該上面３２Ａに沿って取付けられている。
【００３５】
前記ベース部材３２の上面３２Ａは、該コイン溜まり３６の底部の内側面を形成し、該底部の内側面に沿って前記ディスク１２が配置され、該ディスク１２は外周部において前記フランジ３４Ａの内周部に遊嵌している。
【００３６】
又、該ディスク１２は中心軸線廻りに回転自在に前記ベース部材３２に支持され、コイン１５の外径より若干大きな内径で該ディスク１２を厚さ方向に貫通する誘導孔１２Ａが円周方向等分に複数（本実施の形態の例では５つ）形成されている。
【００３７】
図４及び図５に示されるように、ディスク１２の下面側における各前記誘導孔１２Ａの間にはコイン１５の厚さよりも若干厚い、ひれ１２Ｂが複数（本実施の形態の例では５つ）突出して形成されている。
【００３８】
更に、ディスク１２の下面側には、前記ひれ１２Ｂと同じ厚さの略円板状体で、中心軸と同軸的に突出する中心突起１２Ｃが形成されている。
【００３９】
この中心突起１２Ｃの外周部には、前記誘導孔１２Ａの一部をなす円弧状の５つの切欠き１２Ｄが形成されている。
【００４０】
該切欠き１２Ｄと前記ひれ１２Ｂとはコイン１５を保持・回転搬送するコイン保持部３８を構成している。
【００４１】
又、前記ディスクは前記ひれ１２Ｂ及び前記中心突起１２Ｃにおいて前記ベース部材３２の上面３２Ａに当接し、該上面３２Ａ上で摺動して回転するようにされている。
【００４２】
前記アクチュエータ１４はステッピングモータ等の電動モータで、前記ディスク１２を回転駆動可能に該ディスク１２に係合されると共に、前記ベース部材３２に固定されている。
【００４３】
前記第１のガイド１６は前記ベース部材３２の上面３２Ａから前記ディスク１２の上端（図１における１２時の位置）近傍の下面に対向して突出する２本のピン部材（突出部材）１６Ａ及び１６Ｂにより構成されている。
【００４４】
これらピン部材１６Ａ及び１６Ｂは、前記ディスク１２のひれ部１２Ｂの回転軌跡を各々径方向外側と内側とから挟むように、該ディスク１２の上端から反時計方向に若干ずれて配置されている。
【００４５】
又、これらピン部材１６Ａ及び１６Ｂは図６〜図８に示されるように、基端において板ばね１６Ｃに支持され、前記ベース部材３２の上面３２Ａに形成された長孔３２Ｂを貫通して前記上面３２Ａから上方に突出し、先端には時計回りの方向に下り傾斜する勾配面１６Ｄが形成されている。
【００４６】
前記板ばね１６Ｃにおける前記ピン部材１６Ａ及び１６Ｂの支持部と反対側の端部近傍には２つの長孔１６Ｅが形成されている。
【００４７】
前記板ばね１６Ｃは該長孔１６Ｅを貫通するねじ１６Ｆにより前記ベース部材３２の上面３２Ａの裏側に固定されている。
【００４８】
これにより、前記ピン部材１６Ａ及び１６Ｂは前記板ばね１６Ｃを撓ませつつ、前記ベース部材３２の上面３２Ａから突出・引込み自在とされ、且つ、取付位置調整可能とされている。
【００４９】
このように、前記板ばね１６Ｃが前記ピン部材１６Ａ及び１６Ｂを突出方向に付勢しつつ、突出・引込み自在に支持するピン部材支持構造１７（突出部材支持構造）及び前記勾配面１６Ｄは、前記ガイド１６と１８との間のガイド間隙間部１９への侵入物を介する、前記ディスク１２と前記ガイド１６との干渉を防止する干渉防止手段３９を構成している。
【００５０】
前記第２のガイド１８も２本のピン部材１８Ａ及び１８Ｂにより前記第１のガイド１６と対称（図１において左右対称）的に構成されている。
【００５１】
前記ガイド間隙間部１９には、コイン１５と等しい厚さのコイン侵入防止板４０が配置されている。
【００５２】
このコイン侵入防止板４０は、前記ディスク１２の中心軸線側の側面４０Ａが、前記ひれ部１２Ｂと干渉しないだけの円弧面とされ、前記ベース部材３２の上面３２Ａに固定されている。
【００５３】
又、該コイン侵入防止板４０の、図３における左側の側面４０Ｂ及び右側の側面４０Ｃは、前記ピン部材１６Ａ及び１８Ａの近傍から上方に延びる相互に平行な平面とされている。
【００５４】
該コイン侵入防止板４０の側面４０Ｂ及び４０Ｃと前記ホッパ３４のフランジ３４Ａの開口端との間には、コイン１５の外径よりも若干大きな一対の隙間が形成され、これら隙間が前記第１の出口２０及び第２の出口２２を構成している。
【００５５】
前記ホッパ３４のフランジ３４Ａの前記第１の出口２０側の開口端近傍には、前記ディスク１２の中心軸線と平行な軸線廻りに回転自在、且つ、前記コイン侵入防止板４０に接近・離間する方向に揺動自在の第１の出口ローラ４２が設けられている。前記第２の出口２２側にも同様に第２の出口ローラ４４が設けられている。
【００５６】
これら第１の出口ローラ４２及び第２の出口ローラ４４は、各々第１の引張りコイルばね４６及び第２の引張りコイルばね４８により前記コイン侵入防止板４０の方向に付勢され、常態で該コイン侵入防止板４０に最も接近した位置に保持されている。
【００５７】
この常態位置の前記第１の出口ローラ４２及び第２の出口ローラ４４と前記コイン侵入防止板４０との隙間は、コイン１５の外径よりも若干小さくされている。
【００５８】
前記第１のレール２６は、外側板２６Ａと内側板２６Ｂと前面板２６Ｃと背面板２６Ｄとを含んで構成されている。
【００５９】
前記外側板２６Ａ及び前記内側板２６Ｂはコイン１５よりも僅かに厚い長方形板状板を曲折して形成され、コイン１５の外径よりも僅かに広い幅の通路を形成するように相互に平行に配置され、下端において前記ベース部材３２の上面３２Ａにおける前記第１の出口２０の上方近傍に取付けられている。
【００６０】
前記外側板２６Ａは、前記第１の出口ローラ４２の上方近傍から前記ベース部材３２の上面３２Ａに沿って上方に延在し、２箇所で曲折して鉛直上方に突出している。
【００６１】
前記内側板２６Ｂは、前記外側板２６Ａと対向する側面が前記コイン侵入防止板４０の側面４０Ｂに連続するように該コイン侵入防止板４０の上方から前記外側板２６Ａと平行に上方に突出している。
【００６２】
前記前面板２６Ｃ及び前記背面板２６Ｄは、前記外側板２６Ａ及び前記内側板２６Ｂを厚さ方向両面から挟持している。
【００６３】
前記第２のレール３０は、前記第１のレール２６と対称（図１における左右対称）的な構成で、前記第２の出口２２の上方近傍から上方に突出すると共に、上端位置が前記第１のレール２６の上端位置よりも低い位置とされている。
【００６４】
前記第１の投出口２４は前記第１のレール２６の上端部に設けられ、鉛直上方よりも前記第２のレール３０から離間する向きに約４５°傾いて開口している。又、該第１の投出口２４の上端は、前記第１のレール２６の厚み方向の中心軸線を有する第１の投出ローラ５０により形成されている。
【００６５】
この第１の投出ローラ５０は、該第１の投出口２４を拡狭幅する方向に揺動自在とされると共に、第１のねじりコイルばね５２により該第１の投出口２４を狭幅する方向に付勢されている。
【００６６】
前記第１の投出口２４の幅は常態でコイン１５の外径よりも若干狭くされ、前記第１の投出ローラ５０の揺動によりコイン１５の外径よりも広い幅まで拡幅可能とされている。
【００６７】
前記第２の投出口２８は、前記第１のレール２６の上端部よりも低く設置された前記第２のレール３０の上端部に設けられ、前記第１の投出口２４と対称（図２における左右対称）的に鉛直上方から約４５°傾いて開口している。
【００６８】
即ち、前記第１の投出口２４と前記第２の投出口２８とは設置高さ及び開口方向が相互に異なっている。
【００６９】
なお、前記第１のレール２６の上端部と前記第２のレール３０の上端部とは共通の部材により構成され、相互に１８０°反転した配置とされ、前記第２の投出口２８の上端も第２の投出ローラ５４により形成されている。
【００７０】
次に、前記コイン投出装置１０の作用について説明する。
【００７１】
前記第１の投出口２４からコイン１５を投出するときは、前記アクチュエータ１４により前記ディスク１２を時計回りに回転駆動する。
【００７２】
これにより該ディスク１２の上に堆積したコイン１５は篩にかけられたように、該ディスク１２の誘導孔１２Ａから前記コイン保持部３８に誘導・保持される。
【００７３】
該コイン保持部３８に保持されたコイン１５は、前記ディスク１２の回転により前記ホッパ３４のフランジ３４Ａの内周面に沿って時計回りに回転搬送される。
【００７４】
前記第１のガイド１６は、該時計回りに回転搬送されるコイン１５に反時計回り側から当接して該コイン１５を前記第１の出口２０に案内する。
【００７５】
この際、コイン１５は常態位置の前記第１の出口ローラ４２に当接し、前記第１の引張りコイルばね４６の付勢力に抗して該第１の出口ローラ４２を前記コイン侵入防止板４０から離間させる方向に押し込んで、該第１の出口２０を通過し、前記第１のレール２６内に進入する。
【００７６】
コイン１５が通過すると前記第１の出口ローラ４２は前記第１の引張りコイルばね４６に付勢されて、再び前記コイン侵入防止板４０に最も接近した位置に保持される。
【００７７】
これにより、前記第１のレール２６内に進入したコイン１５の逆流が防止される。以後同様に、前記第１のレール２６内にコイン１５が連続して進入すると、これらコイン１５は該第１のレール２６内を玉突状に上方に移動する。
【００７８】
最も上方のコイン１５が前記第１の投出口２４まで達すると、該コイン１５は前記第１の投出ローラ５０に当接し、前記第１のねじりコイルばね５２の付勢力に抗して該第１の投出ローラ５０を揺動させつつ前記第１の投出口２４を拡幅させ、該第１の投出口２４から投出される。
【００７９】
この際、前記第１の投出ローラ５０は前記第１のねじりコイルばね５２に付勢されて、前記第１の投出口２４を狭幅する方向に再び揺動しながらコイン１５を投出方向に押し出すので、コイン１５は付勢されて前記第１の投出口２４から勢いよく投出される。
【００８０】
前記ディスク１２が時計回りに回転し続けることにより、前記第１の出口２０から連続してコイン１５が投出される。
【００８１】
一方、第２の投出口２８からコイン１５を投出するときは、前記アクチュエータ１４により前記ディスク１２を反時計回りに回転駆動する。
【００８２】
これにより、上記と同様にコイン１５は前記第２の出口２２から前記第２のレール３０内に進入し、前記第２の投出口２８から付勢されて勢い良く投出される。
【００８３】
このように前記コイン投出装置１０は、前記アクチュエータ１４により前記ディスク１２を時計回り及び反時計回りに選択的に回転駆動することにより、コイン１５を相異なる投出高さから相異なる投出方向に自動的、且つ、容易に投出することができる。
【００８４】
又、前記ディスク１２を回転駆動するための前記アクチュエータ１４の回転方向の選択のみによりコイン１５の投出方向を切り替えることができ、コイン１５の投出方向を切り替えるための専用のアクチュエータ等が設けられていないので、前記コイン投出装置１０は低コスト、且つ、コンパクトである。
【００８５】
更に、コイン投出装置１０は、一つの装置で２つの投出方向にコイン１５を投出することができ、２つの投出方向にコイン１５を投出するためにコイン投出方向のみが異なる2種類のコイン投出装置を在庫する必要がないので管理コストが低い。又、遊技機等にコイン投出装置を設置する際に、人手によりコイン投出方向を切り替えたり、種々の調整を行う必要もなく、遊技機等への設置時における作業性もよい。
【００８６】
次に、前記コイン侵入防止板４０及び前記干渉防止手段３９の作用について説明する。
【００８７】
前記第１のガイド１６、第２のガイド１８は、各々時計回り、反時計回りに回転搬送されるコイン１５に当接してコイン１５を前記第１の出口２０、前記第２の出口２２に案内するが、前記ガイド間隙間部１９にコイン１５が侵入すると、該侵入コイン１５は行き場を失うと共に、該侵入コイン１５を介して前記ディスク１２と前記第１のガイド１６又は前記第２のガイド１８とが干渉して前記ディスク１２が回転不能となる恐れがある。
【００８８】
前記コイン侵入防止板４０は、前記ガイド間隙間部１９のスペースを埋めるように設置され、該ガイド間隙間部１９へのコイン１５の侵入を防止している。
【００８９】
これにより、通常は前記ガイド間隙間部１９にコイン１５が侵入することはなく、前記ディスク１２が回転不能となることもない。
【００９０】
しかし、前記コイン溜まり３６内に小さなコイン等の異物が混入していると、該異物が前記ガイド間隙間部１９に侵入して行き場を失い、この侵入した異物（侵入物）を介して前記ディスク１２と前記第１のガイド１６又は前記第２のガイド１８とが干渉して前記ディスク１２が回転不能となる恐れがある。
【００９１】
前記干渉防止手段３９は、このような侵入物を介する前記ディスク１２と前記第１のガイド１６又は前記第２のガイド１８との干渉を防止するために設けられている。
【００９２】
例えば、前記ディスク１２が反時計回りに回転しているときに小さなコインが前記第２のガイド１８を乗り越えてしまい、前記ガイド間隙間部１９に該小さなコインが侵入すると、この侵入コイン（侵入物）は前記ディスク１２に回転搬送されて前記第１のガイド１６のピン部材１６Ａ、１６Ｂにおける前記勾配面１６Ｄに当接し、前記板ばね１６Ｃの付勢力に抗して前記ピン部材１６Ａ、１６Ｂを引込ませる。
【００９３】
これにより、該侵入コインは前記ピン部材１６Ａ、１６Ｂを乗り越えて前記ガイド間隙間部１９から除去され、更に前記ディスク１２に回転搬送されて前記第２の出口２２から前記第２のレール３０内に進入し、前記第２の投出口２８から投出される。
【００９４】
すなわち、該侵入コインを介して前記ディスク１２と前記ピン部材１６Ａ、１６Ｂとが干渉して前記ディスク１２が回転不能となることがない。
【００９５】
又、前記ディスク１２が時計回りに回転しているときに、前記第１のガイド１６を小さなコインが乗り越え、前記ガイド間間隙部１９に侵入した場合も該侵入コインは、前記第２のガイド１８のピン部材１８Ａ、１８Ｂの勾配面１８Ｄに当接し、該ピン部材１８Ａ、１８Ｂを引き込ませる。これにより、該侵入コインは、前記ガイド間間隙部１９から除去され前記第１の投出口２４から投出される。
【００９６】
なお、本実施の形態の例において、前記第１の投出口２４と前記第２の投出口２８とは設置高さ及び投出方向が相互に異なるように設置されているが、本発明はこれに限定されるものではなく、遊技機等の要求に合わせて、例えば２つの投出口を同じ高さに設置してもよく、又、２つのレールを（図２における左右方向に）ずらして設置し、２つの投出口を相互に異なる高さで同方向に開口するように設置しても良い。
【００９７】
更に、遊技機等の要求に合わせて、２つの投出口の少なくとも一方を前記ディスク１２と同程度の高さに設置してもよく、前記ディスク１２よりも下方に設置してもよい。
【００９８】
更に又、遊技機等にコインを案内するための通路が設置されていたり、コインを投出したい場所が前記ディスク１２の近傍である場合等は、前記第１のレール２６及び前記第２のレール３０の少なくとも一方を設けることなく、前記第１の出口２０、第２の出口２２から直接コインを投出するコイン投出装置としてもよい。
【００９９】
又、本実施の形態の例において、前記コイン投出装置１０は前記コイン侵入防止板４０及び前記干渉防止手段３９を備えているが、本発明はこれに限定されるものではなく、前記干渉防止手段３９のみを備えるコイン投出装置としてもよい。
【０１００】
この場合、前記ガイド間隙間部１９に前記コイン１５が侵入し得るが、前記干渉防止手段３９により該コイン１５が前記ガイド間隙間部１９から除去されるので該コイン１５を介して前記ディスク１２と前記ガイド１６又は１８とが干渉することはない。
【０１０１】
更に、本実施の形態の例において、前記第１のガイド１６と前記第２のガイド１８とは各々異なる部材により構成されているが、本発明はこれに限定されるものではなく、２つのガイド部材の全部又は一部を一の部材に一体に形成してもよい。
【０１０２】
このようにすればガイド間隙間部が存在せず前記コイン侵入防止板４０及び前記干渉防止手段３９が不要となるので、コイン投出装置のコスト低減を図ることができる。
【０１０３】
同様に、例えば前記第１のガイド１６と前記第２のガイド１８とが接近して配置されて、２つのガイドの間にコイン等が侵入する恐れがない場合にも、前記コイン侵入防止板４０等を設ける必要がなく、コイン投出装置のコスト低減を図ることができる。
【０１０４】
又、本実施の形態の例において、前記コイン投出装置１０は前記第１の投出口２４及び前記第２の投出口２８の２つの投出口を備えているが、本発明はこれに限定されるものではなく、例えば前記第１のレール２６及び前記第２のレール３０の少なくとも一方に複数の投出口及び投出口切替手段を設け、３つ以上の投出口からコインを投出可能であるコイン投出装置としてもよい。
【０１０５】
【発明の効果】
以上説明したように、ディスクは時計回り、及び反時計回りに選択的に回転駆動される構成となっているので、ディスクの正逆回転を利用して、選択的、且つ、自動的に相異なる投出口からコインを投出することが可能になるという優れた効果がもたらされる。
【図面の簡単な説明】
【図１】本発明の実施の形態の例に係るコイン投出装置の全体構造を示す正面図
【図２】同側面図
【図３】図２における矢視III部を拡大して示す平面図
【図４】本発明の実施の形態の例に係るコイン投出装置におけるディスクの構造を拡大して示す側面図
【図５】同底面図
【図６】本発明の実施の形態の例に係るコイン投出装置におけるガイドの構造を拡大して示す平面図
【図７】同ガイドの支持構造を示す平面図
【図８】同側面図
【符号の説明】
１０…コイン投出装置
１２…ディスク
１２Ｂ…ひれ
１２Ｃ…中心突起
１４…アクチュエータ
１６…第１のガイド
１６Ａ、１６Ｂ、１８Ａ、１８Ｂ…ピン部材（突出部材）
１６Ｃ、１８Ｃ…板ばね
１６Ｄ、１８Ｄ…勾配面
１７…ピン部材支持構造（突出部材支持構造）
１８…第２のガイド
１９…ガイド間隙間部
２０…第１の出口
２２…第２の出口
２４…第１の投出口
２６…第１のレール
２８…第２の投出口
３０…第２のレール
３４…ホッパ
３６…コイン溜まり
３８…コイン保持部
３９…干渉防止手段
４０…コイン侵入防止板（コイン侵入防止手段）
【図１】
0004698849.tif 000002
【図２】
0004698849.tif 000003
【図３】
0004698849.tif 000004
【図４】
0004698849.tif 000005
【図５】
0004698849.tif 000006
【図６】
0004698849.tif 000007
【図７】
0004698849.tif 000008
【図８】
0004698849.tif 000009